(57)【要約】  蓄電装置は、複数の二次電池と、その複数の二次電池を収容する電池収容部材とを備える。この電池収容部材は、複数の開口部を有すると共に、その複数の開口部は、第１開口部と、その第１開口部に隣接された複数の第２開口部とを含む。第１開口部に二次電池が収容されていると共に、複数の第２開口部のうちの一部に二次電池が収容されている。
2018198896.tif 000002
【特許請求の範囲】
【請求項１】
複数の二次電池と、
前記複数の二次電池を収容する電池収容部材と
を備え、
前記電池収容部材は、複数の開口部を有すると共に、前記複数の開口部は、第１開口部と前記第１開口部に隣接された複数の第２開口部とを含み、
前記第１開口部に前記二次電池が収容されていると共に、前記複数の第２開口部のうちの一部に前記二次電池が収容されている、
蓄電装置。
【請求項２】
前記複数の開口部は、千鳥配列されており、
前記複数の第２開口部は、前記第１開口部を囲んでいる、
請求項１記載の蓄電装置。
【請求項３】
前記複数の開口部は、６個の前記第２開口部を含み、
前記二次電池が収容されていない前記第２開口部の数は、４個であり、
前記二次電池が収容されている前記第２開口部の数は、２個である、
請求項１記載の蓄電装置。
【請求項４】
前記電池収容部材は、
前記第１開口部および前記複数の第２開口部のそれぞれを画定すると共に、前記第１開口部および前記複数の第２開口部により囲まれた領域に窪みを有する画定部と、
前記二次電池が収容されていない前記第２開口部の内部における前記画定部の内壁面を前記窪みの深さ方向と反対の方向に拡張することにより、前記第１開口部に収容されている前記二次電池および前記複数の第２開口部のうちの一部に収容されている前記二次電池と共に前記窪みを囲む拡張部材と
を含む、請求項１記載の蓄電装置。
【請求項５】
さらに、前記窪みの内部に配置されると共に、前記複数の二次電池の温度を測定する温度測定素子を備えた、
請求項１記載の蓄電装置。
【請求項６】
さらに、複数の接続端子を有する配線部材を備え、
前記複数の接続端子は、前記第１開口部および前記複数の第２開口部のそれぞれに対応する位置に配置されていると共に、前記第１開口部に収容された前記二次電池および前記複数の第２開口部のうちの一部に収容された前記二次電池のそれぞれに接続されている、
請求項１記載の蓄電装置。
【請求項７】
さらに、前記複数の接続端子に隣接された複数の放熱部材を備えた、
請求項６記載の蓄電装置。
【請求項８】
前記二次電池は、リチウムイオン二次電池である、
請求項１記載の蓄電装置。
【請求項９】
蓄電装置と、
前記蓄電装置の動作を制御する制御部と、
前記制御部の指示に応じて前記蓄電装置の動作を切り換えるスイッチ部と
を備え、
前記蓄電装置は、
複数の二次電池と、
前記複数の二次電池を収容する電池収容部材と
を備え、
前記電池収容部材は、複数の開口部を有すると共に、前記複数の開口部は、第１開口部と前記第１開口部に隣接された複数の第２開口部とを含み、
前記第１開口部に前記二次電池が収容されていると共に、前記複数の第２開口部のうちの一部に前記二次電池が収容されている、
電池パック。
【請求項１０】
蓄電装置と、
前記蓄電装置から供給された電力を駆動力に変換する変換部と、
前記駆動力に応じて駆動する駆動部と、
前記蓄電装置の動作を制御する制御部と
を備え、
前記蓄電装置は、
複数の二次電池と、
前記複数の二次電池を収容する電池収容部材と
を備え、
前記電池収容部材は、複数の開口部を有すると共に、前記複数の開口部は、第１開口部と前記第１開口部に隣接された複数の第２開口部とを含み、
前記第１開口部に前記二次電池が収容されていると共に、前記複数の第２開口部のうちの一部に前記二次電池が収容されている、
電動車両。
【請求項１１】
蓄電装置と、
前記蓄電装置から電力を供給される１または２以上の電気機器と、
前記蓄電装置からの前記電気機器に対する電力供給を制御する制御部と
を備え、
前記蓄電装置は、
複数の二次電池と、
前記複数の二次電池を収容する電池収容部材と
を備え、
前記電池収容部材は、複数の開口部を有すると共に、前記複数の開口部は、第１開口部と前記第１開口部に隣接された複数の第２開口部とを含み、
前記第１開口部に前記二次電池が収容されていると共に、前記複数の第２開口部のうちの一部に前記二次電池が収容されている、
電力貯蔵システム。
【請求項１２】
蓄電装置と、
前記蓄電装置から電力を供給される可動部と
を備え、
前記蓄電装置は、
複数の二次電池と、
前記複数の二次電池を収容する電池収容部材と
を備え、
前記電池収容部材は、複数の開口部を有すると共に、前記複数の開口部は、第１開口部と前記第１開口部に隣接された複数の第２開口部とを含み、
前記第１開口部に前記二次電池が収容されていると共に、前記複数の第２開口部のうちの一部に前記二次電池が収容されている、
電動工具。
【請求項１３】
蓄電装置を電力供給源として備え、
前記蓄電装置は、
複数の二次電池と、
前記複数の二次電池を収容する電池収容部材と
を備え、
前記電池収容部材は、複数の開口部を有すると共に、前記複数の開口部は、第１開口部と前記第１開口部に隣接された複数の第２開口部とを含み、
前記第１開口部に前記二次電池が収容されていると共に、前記複数の第２開口部のうちの一部に前記二次電池が収容されている、
電子機器。
【発明の詳細な説明】
【技術分野】
【０００１】
本技術は、複数の二次電池を備えた蓄電装置、ならびにその蓄電装置を用いた電池パック、電動車両、電力貯蔵システム、電動工具および電子機器に関する。
【背景技術】
【０００２】
産業用途および家庭用途などの多様な用途において、複数の二次電池を用いた蓄電装置が用いられている。蓄電装置の用途としては、各種の電子機器の他、電池パック、電動車両、電力貯蔵システムおよび電動工具なども考えられる。【０００３】
蓄電装置は、複数の二次電池と、その複数の二次電池を収容する電池収容部材とを備えており、その蓄電装置の構成に関しては、さまざまな検討がなされている。【０００４】
具体的には、１個の電池収容部材（電池ホルダ）を使用しながら二次電池（素電池）の個数を調整可能にするために、その二次電池の収容数を変更可能である電池収容部材が提案されている（例えば、特許文献１参照。）。この場合には、電池収容部材に設けられた複数の収容部のうちの一群を二次電池が収容されない空収容部とすることにより、その空収容部が放熱スペースとして利用されている。
【先行技術文献】
【特許文献】
【０００５】
【特許文献１】特開２０１３−２１８９３２号公報
【発明の概要】
【０００６】
蓄電装置の安全性を向上させるために、具体的な検討がなされている。しかしながら、蓄電装置の使用時（充放電時）において充電電流および放電電流のそれぞれが増加する傾向にあることを考えると、その蓄電装置の安全性は未だ十分でないため、改善の余地がある。
【０００７】
本技術はかかる問題点に鑑みてなされたもので、その目的は、安全性を向上させることが可能な蓄電装置、電池パック、電動車両、電力貯蔵システム、電動工具および電子機器を提供することにある。
【０００８】
本技術の一実施形態の蓄電装置は、複数の二次電池と、その複数の二次電池を収容する電池収容部材とを備えたものである。この電池収容部材は、複数の開口部を有すると共に、その複数の開口部は、第１開口部と、その第１開口部に隣接された複数の第２開口部とを含む。第１開口部に二次電池が収容されていると共に、複数の第２開口部のうちの一部に二次電池が収容されている。
【０００９】
本技術の一実施形態の電池パック、電動車両、電力貯蔵システム、電動工具および電子機器のそれぞれは、蓄電装置を備え、その蓄電装置が上記した本技術の一実施形態の蓄電装置と同様の構成を有するものである。
【００１０】
ここで、第１開口部および複数の第２開口部とそれらに対する二次電池の収容の有無との関係（二次電池の収容条件）を規定するに際して、１個の「第１開口部」を基準としていることから明らかなように、上記した二次電池の収容条件は、第１開口部および複数の第２開口部が観念される複数の開口部の全てに関して適用されている。すなわち、第１開口部および複数の第２開口部が観念される複数の開口部のうちのいずれの１個の開口部（第１開口部）に着目しても、その１個の開口部およびその１個の開口部に隣接された複数の開口部（複数の第２開口部）に関して、上記した二次電池の収容条件が満たされている。
【００１１】
本技術の一実施形態の蓄電装置によれば、電池収容部材が第１開口部および複数の第２開口部を含み、その第１開口部に二次電池が収容されていると共に複数の第２開口部のうちの一部に二次電池が収容されているので、安全性を向上させることができる。また、本技術の一実施形態の電池パック、電動車両、電力貯蔵システム、電動工具および電子機器のそれぞれにおいても、同様の効果を得ることができる。
【００１２】
なお、ここに記載された効果は、必ずしも限定されるわけではなく、本技術中に記載されたいずれの効果であってもよい。
【図面の簡単な説明】
【００１３】
【図１】本技術の一実施形態の蓄電装置の構成を表す斜視図である。
【図２】本技術の一実施形態の蓄電装置の構成を表す他の斜視図である。
【図３】図１に示した電池ホルダの構成を表す平面図である。
【図４】図３に示した複数の開口部のうちの一部（７個）の開口部の構成を拡大して模式的に表す平面図である。
【図５】図３に示した電池ホルダのうちの一部（部分Ｘ）の構成を拡大して表す平面図である。
【図６】図２に示した複数の放熱体の構成を表す平面図である。
【図７】二次電池の構成を拡大して表す断面図である。
【図８】第１比較例の蓄電装置における複数の開口部の構成を表す平面図である。
【図９】第２比較例の蓄電装置における複数の開口部の構成を表す平面図である。
【図１０】第３比較例の蓄電装置における電池ホルダの構成を表す平面図である。
【図１１】第４比較例の蓄電装置における複数の放熱体の構成を表す平面図である。
【図１２】蓄電装置の適用例（電池パック）の構成を表すブロック図である。
【図１３】蓄電装置の適用例（電動車両）の構成を表すブロック図である。
【図１４】蓄電装置の適用例（電力貯蔵システム）の構成を表すブロック図である。
【図１５】蓄電装置の適用例（電動工具）の構成を表すブロック図である。
【発明を実施するための形態】
【００１４】
以下、本技術の一実施形態に関して、図面を参照して詳細に説明する。なお、説明する順序は、下記の通りである。
１．蓄電装置
１−１．全体構成
１−２．電池ホルダの構成
１−３．サーミスタおよびその周辺の構成
１−４．放熱体の構成
１−５．二次電池の構成
１−６．動作
１−７．作用および効果
１−８．変形例
２．蓄電装置の用途
２−１．電池パック
２−２．電動車両
２−３．電力貯蔵システム
２−４．電動工具
【００１５】
＜１．蓄電装置＞
まず、本技術の一実施形態の蓄電装置に関して説明する。
【００１６】
ここで説明する蓄電装置は、電子機器などの各種用途に使用される電源である。ただし、蓄電装置の用途は、特に限定されない。蓄電装置の詳細な用途に関しては、後述する。
【００１７】
この蓄電装置は、複数の二次電池を備えている。二次電池の数は、複数であれば、特に限定されない。二次電池の種類は、特に限定されないが、例えば、リチウムの吸蔵現象およびリチウムの放出現象を利用して負極の容量が得られるリチウムイオン二次電池などである。
【００１８】
＜１−１．全体構成＞
まず、蓄電装置の全体構成に関して説明する。
【００１９】
図１および図２のそれぞれは、蓄電装置の斜視構成を表している。以下の説明では、図１および図２のそれぞれの下側を蓄電装置の「下側」、上側を蓄電装置の「上側」とする。また、Ｘ軸方向の寸法を「幅」、Ｙ軸方向の寸法を「長さ」、Ｚ軸方向の寸法を「深さ」とする。
【００２０】
ただし、図１および図２では、蓄電装置の上下を逆転させている。具体的には、図１では、後述する外装ケース１が下側に配置された状態を示していると共に、図２では、外装ケース１が上側に配置された状態を示している。
【００２１】
また、図１および図２のそれぞれでは、蓄電装置の一連の構成要素を見やすくするために、その一連の構成要素が互いに分離された状態を示している。
【００２２】
この蓄電装置は、例えば、図１および図２に示したように、筐体の内部に蓄電素子１００を備えている。蓄電素子１００の立体的形状は、特に限定されないが、例えば、幅よりも長さが大きい略直方体である。
【００２３】
［筐体］
筐体は、蓄電素子１００を収納する部材であり、例えば、箱状である。この筐体は、例えば、金属材料などのうちのいずれか１種類または２種類以上を含んでいる。金属材料の種類は、特に限定されないが、例えば、アルミニウム、アルミニウム合金、銅および銅合金などである。
【００２４】
ただし、図１および図２のそれぞれでは、図示内容を簡略化するために、筐体の一部（外装ケース１）だけを示している。この外装ケース１は、例えば、上記した箱状の筐体のうちの一面（例えば、底面）となる略板状の部材である。
【００２５】
［蓄電素子］
蓄電素子１００は、例えば、図１および図２に示したように、放熱絶縁体１０と、複数の放熱体２０と、下ケース３０と、下タブ基板４０と、電池ホルダ５０と、複数の二次電池６０と、上タブ基板７０と、上ケース８０とを備えている。
【００２６】
この他、蓄電素子１００は、例えば、後述するサーミスタ９０を備えている（図５参照）。
【００２７】
［放熱絶縁体］
放熱絶縁体１０は、主に、外装ケース１から複数の二次電池６０などを絶縁すると共に、その複数の二次電池６０などにおいて発生した熱を放熱する部材である。この放熱絶縁体１０は、例えば、シート状であると共に、高い熱伝導性を有する絶縁性材料のうちのいずれか１種類または２種類以上を含んでいる。絶縁性材料の種類は、特に限定されないが、例えば、シリコン樹脂およびポリカーボネートなどの高分子材料である。
【００２８】
［放熱体］
放熱体２０は、主に、複数の二次電池６０などにおいて発生した熱を放熱する放熱部材である。ここでは、蓄電素子１００は、例えば、複数の二次電池６０に応じて、複数の放熱体２０を備えている。
【００２９】
この放熱体２０は、例えば、高い熱伝導性、優れた衝撃吸収性および高い耐熱性を有する高分子材料のうちのいずれか１種類または２種類以上を含んでいる。高分子材料の種類は、特に限定されないが、例えば、シリコンゴムなどのゴム材料である。シリコンゴムなどのゴム材料を含んでいる放熱体２０は、いわゆる放熱ラバーである。
【００３０】
なお、放熱体２０は、例えば、単層でもよいし、多層でもよい。放熱体２０が多層である場合には、例えば、上記した３つの特性を担保するために、各層が互いに異なる特性を有していてもよい。一例を挙げると、放熱体２０が２層である場合には、一方の層が高い熱伝導性を有していると共に、他方の層が優れた衝撃吸収性および高い耐熱性を有していてもよい。
【００３１】
複数の放熱体２０の詳細な構成に関しては、後述する（図６参照）。
【００３２】
［下ケース］
下ケース３０は、主に、電池ホルダ５０に収容された複数の二次電池６０を下側から支持する部材である。この下ケース３０は、例えば、ポリカーボネートなどの高分子材料のうちのいずれか１種類または２種類以上を含んでいる。
【００３３】
下ケース３０には、例えば、後述する複数の開口部５１（図３および図４参照）に対応する箇所に、後述する接続端子４１（図３参照）を露出させるための複数の露出口３１が設けられている。
【００３４】
ここでは、例えば、複数行（Ｘ軸方向）×複数列（Ｙ軸方向）の配列パターンとなるように複数の開口部５１が配置されている場合において、１個の露出口３１は、任意の列における１個の接続端子４１に対応する位置から、隣の列における１個の接続端子４１に対応する位置まで延在している。すなわち、露出口３１の開口形状は、例えば、一方の接続端子４１に対応する位置から他方の接続端子４１に対応する位置まで延在する形状である。これにより、１個の露出口３１には、例えば、２個の接続端子４１が露出している。
【００３５】
［下タブ基板］
下タブ基板４０は、主に、複数の二次電池６０の下側に配置されることにより、その複数の二次電池６０を互いに接続させる配線部材である。この下タブ基板４０は、例えば、複数の二次電池６０のそれぞれに接続される複数の接続端子４１を含んでいる。ここでは、例えば、複数の接続端子４１は、後述するように、二次電池６０のうちの正極端子６０Ｐおよび負極端子６０Ｎのそれぞれに接続されている。また、下タブ基板４０は、例えば、銅およびニッケルなどの導電性材料のうちのいずれか１種類または２種類以上を含んでいる。
【００３６】
下タブ基板４０には、例えば、後述する突起部８１に対応する箇所に、その突起部８１が挿入される挿入口４０Ｋが設けられている。挿入口４０Ｋの数は、突起部８１の数に対応する数であり、例えば、４個である。
【００３７】
［電池ホルダ］
電池ホルダ５０は、主に、複数の二次電池６０を収容および保持する電池収容部材である。すなわち、電池ホルダ５０は、互いに分離されるように複数の二次電池６０の収容領域を仕切ることにより、その複数の二次電池６０が収容される複数の空間を画定する部材である。
【００３８】
具体的には、電池ホルダ５０は、例えば、二次電池６０の収容空間である複数の開口部５１を画定する画定部５２を含んでいる。この画定部５２は、いわゆる電池ホルダ５０の骨格（フレーム）である。このため、複数の開口部５１は、画定部５２により仕切られている。
【００３９】
開口部５１の立体的形状は、特に限定されないが、例えば、二次電池６０の立体的形状に対応する形状である。ここでは、例えば、後述するように、二次電池の６０の立体的形状が円筒（円柱）状であるため、開口部５１の立体的形状は円柱状である。
【００４０】
開口部５１の数は、特に限定されない。ただし、複数の開口部５１は、後述するように、二次電池６０が収容されている開口部５１（第１開口部である第１電池収容部５１Ａおよび複数の第２開口部のうちの一部である第２電池収容部５１Ｃ）と、二次電池６０が収容されていない開口部５１（複数の第２開口部のうちの残りである非電池収容部５１Ｂ）とを含んでいる（図３および図４参照）。このため、開口部５１の数は、二次電池６０の数よりも多くなっている。
【００４１】
電池ホルダ５０には、例えば、後述する突起部８１に対応する箇所に、その突起部８１が挿入される挿入口５０Ｋが設けられている。挿入口５０Ｋの数は、突起部８１の数に対応する数であり、例えば、４個である。
【００４２】
上記した複数の開口部５１（第１電池収容部５１Ａ、非電池収容部５１Ｂおよび第２電池収容部５１Ｃ）を有する電池ホルダ５０の詳細な構成に関しては、後述する（図３および図４参照）。
【００４３】
［二次電池］
二次電池６０は、主に、蓄電装置の主要部であり、いわゆる電源である。この二次電池６０は、例えば、円筒型のリチウムイオン二次電池である。
【００４４】
また、二次電池６０は、例えば、長手方向における一端部に設けられた正極端子６０Ｐと、その長手方向における他端部に設けられた負極端子６０Ｎとを有している。
【００４５】
電池ホルダ５０に収容される複数の二次電池６０の向きは、特に限定されない。ここでは、例えば、複数の二次電池６０の向きは、交互になるように設定されている。
【００４６】
具体的には、正極端子６０Ｐが上側を向くように開口部５１に収容された二次電池６０の隣には、負極端子６０Ｎが上側を向くように開口部５１に収容された二次電池６０が配置されている。また、負極端子６０Ｎが上側を向くように開口部５１に収容された二次電池６０の隣には、正極端子６０Ｐが上側を向くように開口部５１に収容された二次電池６０が配置されている。
【００４７】
このため、正極端子６０Ｐが上側を向くように開口部５１に収容された二次電池６０と、同様に正極端子６０Ｐが上側を向くように開口部５１に収容された二次電池６０とが互いに隣り合わないように、互いに隣り合う２個の二次電池６０のそれぞれの向きが設定されている。また、負極端子６０Ｎが上側を向くように開口部５１に収容された二次電池６０と、同様に負極端子６０Ｎが上側を向くように開口部５１に収容された二次電池６０とが互いに隣り合わないように、互いに隣り合う２個の二次電池６０のそれぞれの向きが設定されている。
【００４８】
ただし、上記したように、複数の二次電池６０は、複数の開口部５１の全てに収容されているわけではなく、その複数の開口部５１の一部（第１電池収容部５１Ａおよび第２電池収容部５１Ｃ）だけに収容されている。
【００４９】
複数の開口部５１とその複数の開口部５１に対する二次電池６０の収容の有無との関係（二次電池６０の収容条件）に関しては、後述する（図３および図４参照）。また、二次電池６０の詳細な構成に関しては、後述する（図７参照）。
【００５０】
［上タブ基板］
上タブ基板７０は、主に、複数の二次電池６０の上側に配置されることにより、その複数の二次電池６０を互いに接続させる他の配線部材である。この上タブ基板７０は、例えば、複数の二次電池６０のそれぞれに接続される複数の接続端子７１を含んでいる。ここでは、例えば、複数の接続端子７１は、後述するように、二次電池６０のうちの正極端子６０Ｐおよび負極端子６０Ｎのそれぞれに接続されている。また、上タブ基板７０は、例えば、下タブ基板４０と同様の導電性材料を含んでいる。
【００５１】
上タブ基板７０には、例えば、突起部８１に対応する箇所に、その突起部８１が挿入される挿入口７０Ｋが設けられている。挿入口７０Ｋの数は、突起部８１の数に対応する数であり、例えば、４個である。
【００５２】
［上ケース］
上ケース８０は、主に、電池ホルダ５０に収容された複数の二次電池６０を上側から支持する部材である。この上ケース８０は、例えば、下ケース３０と同様の高分子材料を含んでいる。
【００５３】
上ケース８０は、例えば、下ケース３０に向かって突出した突起部８１を有している。突起部８１の数は、特に限定されないが、例えば、４個である。４個の突起部８１は、例えば、幅方向（Ｘ軸方向）に配列されている。
【００５４】
この突起部８１は、例えば、上タブ基板７０に設けられた挿入口７０Ｋと、電池ホルダ５０に設けられた挿入口５０Ｋと、下タブ基板４０に設けられた挿入口４０Ｋとにこの順に挿入される。これにより、突起部８１は、例えば、下ケース３０と上ケース８０との間において、下タブ基板４０、電池ホルダ５０および上タブ基板７０を互いに位置合わせさせるために用いられる。
【００５５】
［サーミスタ］
サーミスタ９０は、主に、蓄電装置の温度、より具体的には複数の二次電池６０の温度を測定する温度測定素子である。このサーミスタ９０は、温度の変化に応じて電気抵抗が変化する抵抗体を含んでおり、例えば、電池ホルダ５０に設けられている。
【００５６】
サーミスタ９０の数は、１個または２個以上であれば、特に限定されない。ただし、蓄電装置の温度は、各二次電池６０の使用状況および劣化状況などの差異に起因して変動するため、その蓄電装置の場所に応じて異なる場合がある。このため、蓄電装置の温度を正確に把握するために、サーミスタ９０の数は、２個以上であることが好ましい。
【００５７】
サーミスタ９０が設けられている電池ホルダ５０の詳細な構成に関しては、後述する（図５参照）。
【００５８】
［他の構成要素］
なお、蓄電装置１００は、例えば、上記した一連の構成要素に加えて、他の構成要素のうちのいずれか１種類または２種類以上を含んでいてもよい。
【００５９】
他の構成要素は、例えば、蓄電装置１００の全体の動作を制御する回路基板などである。この回路基板は、例えば、中央演算処理装置（ＣＰＵ）などを含んでおり、長手方向における上ケース８０の一端部などに取り付けられている。
【００６０】
＜１−２．電池ホルダの構成＞
続いて、電池ホルダ５０の詳細な構成に関して説明する。
【００６１】
図３は、図１に示した電池ホルダ５０の平面構成を表している。ただし、図３では、下ケース３０および下タブ基板４０も併せて示している。
【００６２】
図４は、図３に示した複数の開口部５１のうちの一部（７個）の開口部５１の平面構成を拡大して模式的に表している。ただし、図４では、図３中において「Ａ」が付された１個の開口部５１と、その１個の開口部５１に隣接された６個の開口部５１とを示している。
【００６３】
［電池ホルダの構成］
電池ホルダ５０は、例えば、図３に示したように、画定部５２により画定された複数の開口部５１を含んでいる。複数の開口部５１は、電池ホルダ５０の面内に配置されている。この「面内」とは、上記したように、電池ホルダ５０の表面に沿った面内であり、より具体的にはＸＹ面内である。
【００６４】
複数の開口部５１の配置パターンは、特に限定されないが、例えば、複数行（Ｘ軸方向）×複数列（Ｙ軸方向）の配列パターンである。中でも、複数の開口部５１の配列パターンは、千鳥配列であることが好ましい。複数の開口部５１が効率よく密集するため、電池ホルダ５０に設けられる開口部５１の数が十分に多くなるからである。
【００６５】
複数の開口部５１の配列パターンが千鳥配列である場合には、奇数行に配置されている各開口部５１の位置と偶数行に配置されている各開口部５１の位置とは行方向（Ｙ軸方向）において互いにずれている。これにより、１個の開口部５１は、例えば、６個の開口部５１により囲まれている。
【００６６】
千鳥配列の種類は、特に限定されないが、例えば、６０°千鳥配列および４５°千鳥配列などである。「６０°千鳥配列」とは、正三角形（３つの内角の角度は、いずれも６０°である。）の頂点の位置に各開口部５１の中心が配置される配列パターンである。「４５°千鳥配列」とは、直角三角形（３つの内角の角度は、４５°、４５°および９０°である。）の頂点の位置に各開口部５１の中心が配置される配列パターンである。図３では、例えば、複数の開口部５１の配列パターンが６０°千鳥配列である場合を示している。
【００６７】
ここでは、例えば、図３に示したように、挿入口５０Ｋよりも左側の領域では、行方向において複数の開口部５１に対して１個おきに二次電池６０が収容されていると共に、その挿入口５０Ｋよりも右側の領域でも、行方向において複数の開口部５１に対して１個おきに二次電池６０が収容されている。すなわち、各行において、任意の開口部５１に二次電池６０が収容されていると共にその任意の開口部５１の隣の開口部５１に二次電池６０が収容されていないという収容状態が繰り返されている。
【００６８】
ただし、任意の行において開口部５１に収容されている二次電池６０の向きと、その任意の行の隣の行において開口部５１に収容されている二次電池６０の向きとが互いに異なるように、その二次電池６０の向きが設定されている。すなわち、例えば、任意の行の開口部５１に、正極端子６０Ｐが上側を向くように二次電池６０が収容されている場合には、隣の行の開口部５１に、負極端子６０Ｎが上側を向くように二次電池６０が収容されている。
【００６９】
［二次電池の収容条件］
ここで、複数の二次電池６０は、上記したように、複数の開口部５１の全てに収容されているわけではなく、その複数の開口部５１の一部だけに収容されている。
【００７０】
具体的には、複数の開口部５１は、任意の１個の開口部５１（第１開口部）と、その１個の開口部５１に隣接された２個以上の開口部５１（複数の第２開口部）とを含んでいる。ここで、例えば、複数の開口部５１が６０°千鳥配列されている場合には、図３中において「Ａ」が付された任意の１個の開口部５１に着目すると、図４に示したように、その１個の開口部５１は、他の６個の開口部５１により囲まれている。すなわち、図４では、中心に位置する１個の開口部５１と、その１個の開口部５１の周辺に配置された６個の開口部５１とを示している。
【００７１】
二次電池６０の収容条件は、以下の通りである。ここでは、例えば、図４を参照しながら、７個の開口部５１に関する二次電池６０の収容の有無に関して説明する。
【００７２】
中心に位置する１個の開口部５１は、二次電池６０が収容されている第１電池収容部５１Ａである。このため、第１電池収容部５１Ａには、二次電池６０が収納されており、その第１電池収容部５１Ａに収容された二次電池６０に、上記した「Ａ」が付されている。
【００７３】
一方、周辺に配置されている６個の開口部５１のうち、１個以上の開口部５１は、二次電池６０が収容されていない非電池収容部５１Ｂである。このため、第１電池収容部５１Ｂには、二次電池６０が収容されていない。
【００７４】
また、周辺に配置されている６個の開口部５１のうち、残りの開口部５１は、二次電池６０が収容されている第２電池収容部５１Ｃである。このため、第２電池主要部５１Ｃには、第１電池収容部５１Ａと同様に、二次電池６０が収容されている。
【００７５】
これらのことから、画定部５２は、複数の開口部５１を画定することにより、第１電池収容部５１Ａ、非電池収容部５１Ｂおよび第２電池収容部５１Ｃを画定している。
【００７６】
ここで、非電池収容部５１Ｂの数は、１個以上であれば、特に限定されないと共に、第２電池収容部５１Ｃの数も、１個以上であれば、特に限定されない。ただし、非電池収容部５１Ｂの数が１個以上であると共に、第２電池収容部５１Ｃの数も１個以上であることから明らかなように、周辺に配置されている６個の開口部５１の数が６個である場合、非電池収容部５１Ｂの数が６個になるとことはないと共に、第２電池収容部５１Ｃの数が６個になることもない。すなわち、非電池収容部５１Ｂの数は、例えば、１個以上５個以下であると共に、第２電池収容部５１Ｃの数も、例えば、１個以上５個以下である。
【００７７】
上記した二次電池６０の収容条件が満たされていれば、非電池収容部５１Ｂの数は任意に設定可能であると共に、第２電池収容部５１Ｃの数も任意に設定可能である。
【００７８】
ここでは、例えば、図４に示したように、「Ａ」が付された二次電池６０が収容されている第１電池収容部５１Ａに着目すると、非電池収容部５１Ｂの数は４個であると共に、第２電池収容部５１Ｃの数は２個である。図４では、第１電池収容部５１Ａ、非電池主要部５１Ｂおよび第２電池収容部５１Ｃを互いに識別しやすくするために、第１電池収容部５１Ａおよび第２電池収容部５１Ｃのそれぞれに網掛けを施している。
【００７９】
ここで、二次電池６０の収容条件を規定するに際して、「Ａ」が付された「任意の１個の開口部５１」を基準としていることから明らかなように、上記した二次電池６０の収容条件は、複数の開口部５１の全てに関して適用されている。すなわち、複数の開口部５１のうちのいずれの１個の開口部５１に着目しても、その１個の開口部５１およびその１の開口部５１に隣接された２個以上の開口部５１に関して、上記した二次電池６０の収容条件が満たされている。
【００８０】
具体的には、「Ａ」が付された二次電池６０以外の他の二次電池６０に着目しても、以下で説明するように、上記した二次電池６０の収容条件が満たされている。
【００８１】
図３中において「Ｂ」が付された二次電池６０に着目すると、中心に位置する１個の開口部５１の周辺に、５個の開口部５１が配置されている。この場合には、「Ｂ」が付された二次電池６０が収容されている第１電池収容部５１Ａに着目すると、非電池収容部５１Ｂの数は３個であると共に、第２電池収容部５１Ｃの数は２個である。
【００８２】
図３中において「Ｃ」が付された二次電池６０に着目すると、中心に位置する１個の開口部５１の周辺に、４個の開口部５１が配置されている。この場合には、「Ｃ」が付された二次電池６０が収容されている第１電池収容部５１Ａに着目すると、非電池収容部５１Ｂの数は３個であると共に、第２電池収容部５１Ｃの数は１個である。
【００８３】
図３中において「Ｄ」が付された二次電池６０に着目すると、中心に位置する１個の開口部５１の周辺に、３個の開口部５１が配置されている。この場合には、「Ｄ」が付された二次電池６０が収容されている第１電池収容部５１Ａに着目すると、非電池収容部５１Ｂの数は１個であると共に、第２電池収容部５１Ｃの数は２個である。
【００８４】
図３中において「Ｅ」が付された二次電池６０に着目すると、中心に位置する１個の開口部５１の周辺に、２個の開口部５１が配置されている。この場合には、「Ｅ」が付された二次電池６０が収容されている第１電池収容部５１Ａに着目すると、非電池収容部５１Ｂの数は１個であると共に、第２電池収容部５１Ｃの数は１個である。
【００８５】
上記した二次電池６０の収容条件が満たされているのは、電池ホルダ５０に収容されている複数の二次電池６０のうちのいずれの二次電池６０に関しても非電池収容部５１Ｂが放熱経路（空気の流路）として機能するからである。よって、複数の二次電池６０のうちのいずれの二次電池６０が発熱しても、その熱が非電池収容部５１Ｂを利用して放熱されるため、複数の二次電池６０において蓄熱しにくくなる。これにより、複数の二次電池６０の全体において、温度がばらつきにくくなる。
【００８６】
特に、非電池収容部５１Ｂの数は、第２電池収容部５１Ｃの数よりも多いことが好ましいと共に、非電池収容部５１Ｂの数は、第１電池収容部５１Ａの数と第２電池収容部５１Ｃの数との和よりも多いことがより好ましい。二次電池６０の数に対して放熱経路の数が十分に多くなるため、その放熱経路において十分に放熱されやすくなるからである。
【００８７】
具体的には、例えば、図４に示したように、１個の開口部５１が６個の開口部５１により囲まれている場合には、非電池収容部５１Ｂの数は４個であると共に第２電池収容部５１Ｃの数は２個であることが好ましい。３個の二次電池６０（１個の第１電池収容部５１Ａおよび２個の第２電池収容部５１Ｃ）に対して４個の放熱経路（４個の非電池収容部５１Ｂ）が付設されるため、その放熱経路において十分に放熱されやすくなるからである。
【００８８】
＜１−３．サーミスタおよびその周辺の構成＞
続いて、サーミスタ９０およびその周辺の詳細な構成に関して説明する。
【００８９】
図５は、図３に示した電池ホルダ５０のうちの一部（部分Ｘ）の平面構成を拡大している。ただし、図５では、図示内容を簡略化するために、主要な構成要素だけに符号を付している。
【００９０】
画定部５２の一部、より具体的には第１電池収容部５１Ａ、非電池収容部５１Ｂおよび第２電池収容部５１Ｃにより囲まれた領域は、例えば、図５に示したように、深さ方向（Ｚ軸方向）に掘り下げられているため、窪んでいる。この領域は、例えば、図５から明らかなように、略三角形の領域である。このため、画定部５２のうち、第１電池収容部５１Ａ、非電池収容部５１Ｂおよび第２電池収容部５１Ｃにより囲まれた領域には、例えば、窪み５０Ｕが設けられている。窪み５０Ｕの深さは、特に限定されないため、任意に設定可能である。
【００９１】
サーミスタ９０は、例えば、窪み５０Ｕの内部に配置されている。具体的には、サーミスタ９０は、例えば、窪み５０Ｕの内部における画定部５２の一面（底面）に、接着剤を介して固定されている。
【００９２】
上記したように、サーミスタ９０の数は、特に限定されないため、窪み５０Ｕの数も、特に限定されない。ただし、複数のサーミスタ９０を用いる場合には、その複数のサーミスタ９０の位置、すなわち複数の二次電池６０の温度の測定位置をできるだけ分散させるために、窪み５０Ｕの位置も分散させることが好ましい。
【００９３】
画定部５２に窪み５０Ｕが設けられていることに伴い、電池ホルダ５０は、例えば、図５に示したように、非電池収容部５１Ｂの内部に配置された拡張体５３を含んでいる。
【００９４】
この拡張体５３は、窪み５０Ｕの深さ方向と反対の方向に、非電池収容部５１Ｂの内部における画定部５２の内壁面５０Ｍを拡張する拡張部材である。これにより、窪み５０Ｕは、第１電池収容部５１Ａに収容されている二次電池６０と、第２電池収容部５１Ｃに収容されている二次電池６０と、非電池収容部５１Ｂの内部に設けられた拡張体５３とにより囲まれている。
【００９５】
なお、拡張体５３は、例えば、非電池収容部５１Ｂの内部において、内壁面５０Ｍに沿うように湾曲しながら画定部５２に取り付けられている。拡張体５３の立体的形状は、特に限定されないが、例えば、可撓性を有する板状またはシート状である。
【００９６】
具体的には、拡張体５３は、例えば、内壁面５０Ｍに沿って折れ曲がり可能な接着テープなどである。ただし、拡張体５３は、例えば、高分子材料のうちのいずれか１種類または２種類以上を含んでいる高分子シートであり、接着剤を介して内壁面５０Ｍに接着されていてもよい。
【００９７】
この拡張体５３は、第１電池収容部５１Ａに収容されている二次電池６０および第２電池収容部５１Ｃに収容されている二次電池６０と同様に、サーミスタ９０の配設領域（窪み５０Ｕ）を画定する役割を果たす。これにより、拡張体５３を用いない場合と比較して、サーミスタ９０を固定させるために用いられる接着剤が非電池収容部５１Ｂに流出しにくくなるため、その接着剤を用いてサーミスタ９０の設置位置が所望の位置となるように設定される。また、接着剤が非電池収容部５１Ｂに流出することに起因してサーミスタ９０が窪み５０Ｕから脱落することは防止される。
【００９８】
＜１−４．放熱体の構成＞
続いて、放熱体２０の詳細な構成に関して説明する。
【００９９】
図６は、図２に示した複数の放熱体２０の平面構成を表している。ただし、図６では、下ケース３０および下タブ基板４０も併せて示している。
【０１００】
上記したように、下ケース３０には、例えば、図６に示したように、１個の接続端子４１に対応する位置から他の１個の接続端子４１に対応する位置まで延在する複数の露出口３１が設けられている。各露出口３１には、例えば、２個の接続端子４１が露出している。
【０１０１】
［放熱体の構成］
複数の放熱体２０のそれぞれは、例えば、図６に示したように、複数の露出口３１のそれぞれに設けられている。すなわち、放熱体２０は、例えば、露出口３１の延在方向と同様の方向に延在していると共に、その露出口３１に露出された２個の接続端子４１に隣接されている。電流が集中しやすい接続端子４１に対応する箇所に放熱体２０を設けることにより、最小限の数の放熱体２０を用いて効率よく放熱するためである。
【０１０２】
なお、上記した挿入口５０Ｋ（図３参照）よりも左側の領域では、例えば、右肩上がりとなるように露出口３１および放熱体２０のそれぞれが延在していると共に、その開口部５０Ｋよりも右側の領域では、例えば、左肩上がりとなるように露出口３１および放熱体２０のそれぞれが延在している。
【０１０３】
ここで、複数の放熱体２０のそれぞれは、例えば、上記したように、複数の挿入口３１のそれぞれに設けられている。一方、複数の開口部５１は、上記したように、二次電池６０が収容されている開口部５１（第１電池収容部５１Ａおよび第２電池収容部５１Ｃ）と、二次電池６０が収容されていない開口部５１（非電池収容部５１Ｂ）とを含んでいる。よって、複数の放熱体２０は、例えば、二次電池６０が収容されている開口部５１（第１電池収容部５１Ａおよび第２電池収容部５１Ｃ）に対応する位置に設けられていると共に、その位置において接続端子４１に隣接されている。また、複数の放熱体２０は、例えば、二次電池６０が収容されていない開口部５１（非電池収容部５１Ｂ）に対応する位置にも設けられていると共に、その位置においても接続端子４１に隣接されている。
【０１０４】
非電池収容部５１Ｂに対応する位置にも放熱体２０が設けられているのは、その非電池収容部５１Ｂを放熱経路として放熱された熱がさらに放熱体２０を利用して放熱されるため、複数の二次電池６０において発生した熱がより放熱されやすくなるからである。
【０１０５】
ただし、複数の放熱体２０は、例えば、電池ホルダ５０のうちの熱が集中しやすい領域に対応する領域に集中的に設けられていてもよい。電池ホルダ５０のうちの一部領域に熱が集中しても、複数の放熱体２０を利用して効果的に放熱されやすくなるからである。電池ホルダ５０のうちの熱が集中しやすい領域は、例えば、その電池ホルダ５０のうちの中央領域などである。
【０１０６】
［下タブ基板の構成］
なお、下タブ基板４０に設けられている複数の接続端子４１のそれぞれは、例えば、図１〜図３および図６に示したように、複数の開口部５１に対応する位置に設けられている。すなわち、接続端子４１は、例えば、二次電池６０が収容されている開口部５１（第１電池収容部５１Ａおよび第２電池収容部５１Ｃ）に対応する位置に設けられており、その位置において二次電池６０に接続されている。また、接続端子４１は、例えば、二次電池６０が収容されていない開口部５１（非電池収容部５１Ｂ）に対応する位置にも設けられており、その位置においても二次電池６０に接続されている。
【０１０７】
非電池収容部５１Ｂに対応する位置にも接続端子４１が設けられている理由は、非電池収容部５１Ｂに対応する位置にも放熱体２０が設けられている理由と同様である。すなわち、非電池収容部５１Ｂを放熱経路として放熱された熱がさらに下タブ基板４０（接続端子４１）を利用して放熱されるため、複数の二次電池６０において発生した熱がより放熱されやすくなる。
【０１０８】
［上タブ基板の構成］
ここで下タブ基板４０（接続端子４１）に関して説明したことは、例えば、上タブ基板７０（接続端子７１）に関しても同様である。具体的には、上タブ基板７０に設けられている複数の接続端子７１のそれぞれは、例えば、図１および図２に示したように、複数の開口部５１に対応する位置に設けられている。すなわち、接続端子７１は、例えば、二次電池６０が収容されている開口部５１（第１電池収容部５１Ａおよび第２電池収容部５１Ｃ）に対応する位置に設けられており、その位置において二次電池６０に接続されている。また、接続端子７１は、例えば、二次電池６０が収容されていない開口部５１（非電池収容部５１Ｂ）に対応する位置にも設けられており、その位置においても二次電池６０に接続されている。
【０１０９】
非電池収容部５１Ｂに対応する位置にも接続端子７１が設けられている理由は、非電池収容部５１Ｂに対応する位置にも接続端子４１が設けられている理由と同様である。すなわち、非電池収容部５１Ｂを放熱経路として放熱された熱がさらに上タブ基板７０（接続端子７１）を利用して放熱されるため、複数の二次電池６０において発生した熱がより放熱されやすくなる。
【０１１０】
＜１−５．二次電池の構成＞
続いて、二次電池６０の詳細な構成に関して説明する。
【０１１１】
図７は、二次電池６０の断面構成を表している。ここで説明する二次電池６０は、例えば、上記した円筒型のリチウムイオン二次電池である。
【０１１２】
具体的には、二次電池６０は、例えば、図７に示したように、電池缶６１の内部に、一対の絶縁板６２，６３と、巻回電極体６８とを備えている。巻回電極体６８は、例えば、セパレータ６８３を介して正極６８１と負極６８２とが積層されたのち、その正極６８１、負極６８２およびセパレータ６８３が巻回された巻回体である。巻回電極体６８には、例えば、液状の電解質である電解液が含浸されている。
【０１１３】
電池缶６１は、例えば、一端部が閉鎖されると共に他端部が開放された中空の円柱状であり、例えば、鉄、アルミニウムおよびそれらの合金などのうちのいずれか１種類または２種類以上を含んでいる。一対の絶縁板６２，６３は、巻回電極体６８の巻回周面に対して垂直な方向に延在していると共に、その巻回電極体６８を挟むように配置されている。
【０１１４】
電池缶６１の開放端部には、電池蓋６４と、安全弁機構６５と、熱感抵抗素子（ＰＴＣ素子）６６とがガスケット６７を介してかしめられているため、その電池缶６１は密閉されている。電池蓋６４は、例えば、電池缶６１と同様の材料を含んでおり、上記した正極端子部６０Ｐとして機能する。安全弁機構６５およびＰＴＣ素子６６のそれぞれは、電池蓋６４の内側に設けられており、その安全弁機構６５は、ＰＴＣ素子６６を介して電池蓋６４と電気的に接続されている。安全弁機構６５では、内部短絡および外部加熱などに起因して内圧が一定以上になると、ディスク板６５Ａが反転することにより、電池蓋６４と巻回電極体６８との電気的接続が切断される。大電流に起因する異常な発熱を防止するために、熱感抵抗素子６６の抵抗は、温度の上昇に応じて増加する。ガスケット６７は、例えば、絶縁材料を含んでいる。
【０１１５】
巻回電極体６８の巻回中心に設けられた空間には、例えば、センターピン６８４が挿入されている。ただし、二次電池６０は、センターピン６８４を備えていなくてもよい。正極６８１には、正極リード６８５が取り付けられており、その正極リード６８５は、例えば、アルミニウムなどの導電性材料のうちのいずれか１種類または２種類以上を含んでいる。負極６８２には、負極リード６８６が取り付けられており、その負極リード６８６は、例えば、ニッケルなどの導電性材料のうちのいずれか１種類または２種類以上を含んでいる。負極リード６８６は、電池缶６１と電気的に接続されているため、その電池缶６１は、上記した負極端子部６０Ｎとして機能する。
【０１１６】
正極６８１は、例えば、正極集電体と、その正極集電体の片面または両面に設けられた正極活物質層とを含んでいる。
【０１１７】
正極集電体は、例えば、アルミニウムなどの導電性材料のうちのいずれか１種類または２種類以上を含んでいる。正極活物質層は、例えば、リチウムを吸蔵および放出することが可能である正極活物質と共に、正極結着剤および正極導電剤などを含んでいる。
【０１１８】
正極活物質は、例えば、リチウム含有化合物のうちのいずれか１種類または２種類以上を含んでおり、そのリチウム含有化合物は、例えば、リチウム遷移金属含有複合酸化物およびリチウム遷移金属含有リン酸化合物などである。リチウム遷移金属含有複合酸化物は、リチウムと１種類または２種類以上の遷移金属元素などとを構成元素として含む複合酸化物であると共に、リチウム遷移金属含有リン酸化合物は、リチウムと１種類または２種類以上の遷移金属元素などとを構成元素として含むリン酸化合物である。遷移金属元素の種類は、特に限定されないが、例えば、ニッケル、コバルト、マンガンおよび鉄などである。
【０１１９】
正極結着剤は、例えば、合成ゴムおよび高分子材料などのうちのいずれか１種類または２種類以上を含んでいる。合成ゴムは、例えば、スチレンブタジエン系ゴム、フッ素系ゴムおよびエチレンプロピレンジエンなどである。高分子材料は、例えば、ポリフッ化ビニリデンおよびポリイミドなどである。
【０１２０】
正極導電剤は、例えば、炭素材料などのうちのいずれか１種類または２種類以上を含んでいる。炭素材料は、例えば、黒鉛、カーボンブラック、アセチレンブラックおよびケッチェンブラックなどである。
【０１２１】
負極６８２は、例えば、負極集電体と、その負極集電体の片面または両面に設けられた負極活物質層とを含んでいる。
【０１２２】
負極集電体は、例えば、銅などの導電性材料のうちのいずれか１種類または２種類以上を含んでいる。負極活物質層は、例えば、リチウムを吸蔵および放出することが可能である負極活物質と共に、負極結着剤および負極導電剤などを含んでいる。
【０１２３】
負極活物質は、例えば、炭素材料および金属系材料などのうちのいずれか１種類または２種類以上を含んでいる。炭素材料は、例えば、易黒鉛化性炭素、難黒鉛化性炭素および黒鉛などである。金属系材料は、例えば、金属元素および半金属元素のうちのいずれか１種類または２種類以上を構成元素として含む材料の総称である。この金属系材料は、単体でもよいし、合金でもよいし、化合物でもよいし、それらのうちの２種類以上でもよいし、それらのうちの１種類または２種類以上の相を含む材料でもよい。金属元素および半金属元素のそれぞれの種類は、特に限定されないが、例えば、マグネシウム、ホウ素、アルミニウム、ガリウム、インジウム、ケイ素、ゲルマニウム、スズ、鉛、ビスマス、カドミウム、銀、亜鉛、ハフニウム、ジルコニウム、イットリウム、パラジウムおよび白金などである。
【０１２４】
負極結着剤に関する詳細は、例えば、上記した正極結着剤に関する詳細と同様であると共に、負極導電剤に関する詳細は、例えば、上記した負極導電剤に関する詳細と同様である。
【０１２５】
この二次電池６０では、例えば、充電途中において負極６８２の表面にリチウム金属が意図せずに析出することを防止するために、リチウムを吸蔵および放出することが可能である負極活物質の電気化学当量は、正極６８１の電気化学当量よりも大きくなるように設定されている。
【０１２６】
セパレータ６８３は、正極６８１と負極６８２との間に介在しており、正極６８１と負極６８２との接触に起因する電流の短絡を防止しながらリチウムイオンを通過させる。このセパレータ６８３は、例えば、合成樹脂およびセラミックなどの多孔質膜のうちのいずれか１種類または２種類以上を含んでいる。合成樹脂は、例えば、ポリテトラフルオロエチレン、ポリプロピレンおよびポリエチレンなどである。
【０１２７】
電解液は、例えば、非水溶媒および電解質塩などを含んでいる。非水溶媒は、例えば、環状炭酸エステルおよび鎖状炭酸エステルなどのうちのいずれか１種類または２種類以上を含んでいる。環状炭酸エステルは、例えば、炭酸エチレンおよび炭酸プロピレンなどであると共に、鎖状炭酸エステルは、例えば、炭酸ジメチル、炭酸ジエチルおよび炭酸エチルメチルなどである。電解質塩は、例えば、リチウム塩などのうちのいずれか１種類または２種類以上を含んでおり、そのリチウム塩は、例えば、六フッ化リン酸リチウム（ＬｉＰＦ6 ）などである。
【０１２８】
＜１−６．動作＞
続いて、蓄電装置の動作に関して説明する。
【０１２９】
この蓄電装置では、例えば、以下で説明するように、複数の二次電池６０において充放電反応が進行する。具体的には、例えば、充電時において、正極６８１からリチウムイオンが放出されると共に、そのリチウムイオンが電解液を介して負極６８２に吸蔵される。一方、例えば、放電時において、負極６８２からリチウムイオンが放出されると共に、そのリチウムイオンが電解液を介して正極６８１に吸蔵される。
【０１３０】
この場合には、充放電反応時において複数の二次電池６０が発熱すると、各二次電池６０に隣接されている１個または２個以上の非電池収容部５１Ｂが放熱経路として機能する。これにより、複数の二次電池６０のうちのいずれの二次電池６０が発熱しても、その熱が１個または２個以上の非電池収容部５１Ｂを利用して放熱されるため、その複数の二次電池６０において蓄熱しにくくなる。
【０１３１】
＜１−７．作用および効果＞
本実施形態の蓄電装置によれば、電池ホルダ５０が複数の開口部５１（第１電池収容部５１Ａ、非電池収容部５１Ｂおよび第２電池収容部５１Ｃ）を有しており、その複数の開口部５１に関して、上記した二次電池６０の収容条件が満たされている。よって、以下で説明する理由により、安全性を向上させることができる。
【０１３２】
図８は、第１比較例の蓄電装置における複数の開口部５１の平面構成を表しており、図４に対応している。図９は、第２比較例の蓄電装置における複数の開口部５１の平面構成を表しており、図４に対応している。
【０１３３】
第１比較例の蓄電装置は、例えば、図８に示したように、中心に位置する１個の開口部５１（第１電池収容部１Ａ）の周辺に６個の開口部５１が配置されている場合において、その６個の開口部５１の全てが第２電池収容部５１Ｃであることを除いて、本実施形態の蓄電装置（図４）と同様の構成を有している。すなわち、第１比較例の蓄電装置では、複数の開口部５１が非電池収容部５１Ｂを含んでいないため、その複数の開口部５１の全てに二次電池６０が収容されている。
【０１３４】
第２比較例の蓄電装置は、例えば、図９に示したように、中心に位置する１個の開口部５１の周辺に６個の開口部５１が配置されている場合において、その７個の開口部５１の全てが非電池収容部５１Ｂであると共に、それ以外の複数の開口部５１の全てに二次電池６０が収容されていることを除いて、本実施形態の蓄電装置（図４）と同様の構成を有している。すなわち、第２比較例の蓄電装置では、非電池収容部５１Ｂである複数（例えば、７個）の開口部５１が１箇所に集中している。
【０１３５】
蓄電装置の使用時において、複数の二次電池６０において充放電反応が進行すると、上記したように、その複数の二次電池６０が発熱する。
【０１３６】
第１比較例の蓄電装置では、図８に示したように、放熱経路として機能する非電池収容部５１Ｂが存在しない。この場合には、充放電時において発生した熱が放熱されにくいため、複数の二次電池６０において蓄熱しやすくなる。これにより、複数の二次電池６０が過度に加熱されると、その複数の二次電池６０が連鎖的に熱暴走しやすくなるため、安全性を向上させることが困難である。特に、蓄電装置の性能を向上させるために充電電流および放電電流のうちの一方または双方を増加させた場合には、発熱量が増加するため、複数の二次電池６０が熱暴走する可能性は高くなる。
【０１３７】
第２比較例の蓄電装置では、図９に示したように、放熱経路として機能する非電池収容部５１Ｂが存在する。この場合には、充放電時において発生した熱が非電池収容部５１Ｂを利用して放熱されるため、その非電池収容部５１Ｂの近傍では複数の二次電池６０において蓄熱しにくくなる。これにより、非電池収容部５１Ｂの近傍では、複数の二次電池６０が過度に加熱されにくくなるため、その複数の二次電池６０が連鎖的に熱暴走しにくくなる。しかしながら、非電池収容部５１Ｂから離れた場所では、充放電時において発生した熱が放熱されにくいため、複数の二次電池６０において蓄熱しやすくなる。これにより、非電池収容部５１Ｂから離れた場所では、複数の二次電池６０が過度に加熱されると、その複数の二次電池６０が連鎖的に熱暴走しやすくなる。よって、蓄電装置の全体としては、依然として複数の二次電池６０が局所的に熱暴走しやすくなるため、安全性を向上させることが困難である。特に、充電電流および放電電流のうちの一方または双方を増加させた場合には、複数の二次電池６０が熱暴走する可能性は依然として高いままである。
【０１３８】
これに対して、本実施形態の蓄電装置では、図４に示したように、放熱経路として機能する非電池収容部５１Ｂが全ての二次電池６０に付設されている。この場合には、充放電時において複数の二次電池６０のうちのいずれの二次電池６０が発熱しても、その熱が非電池収容部５１Ｂを利用して放熱されるため、その複数の二次電池６０において蓄熱しにくくなる。これにより、発熱源である二次電池６０の場所に依存せずに複数の二次電池６０が過度に加熱されにくくなるため、その複数の二次電池６０が連鎖的に熱暴走しにくくなる。しかも、発熱源である二次電池６０の場所に依存せずに複数の二次電池６０が過度に加熱されにくくなることにより、充電電流および放電電流のうちの一方または双方を増加させても、複数の二次電池６０が熱暴走する可能性は低くなる。よって、蓄電装置の全体として複数の二次電池６０が熱暴走しにくくなるため、安全性を向上させることができる。
【０１３９】
特に、本実施形態の蓄電装置では、以下で説明する作用および効果も得られる。
【０１４０】
第１に、図３および図４に示したように、複数の開口部５１が千鳥配列されていれば、複数の開口部５１が密集するため、二次電池６０の収容場所である第１電池収容部５１Ａおよび第２電池収容部５１Ｃと放熱経路である非電池収容部５１Ｂとが互いに接近しやすくなる。よって、非電池収容部５１Ｂにおいて放熱されやすくなるため、安全性をより向上させることができる。
【０１４１】
第２に、図４に示したように、１個の開口部５１が６個の開口部５１により囲まれている場合において、非電池収容部５１Ｂの数が４個であると共に第２電池収容部５１Ｃの数が２個であれば、二次電池６０の数よりも放熱経路の数が多くなる。よって、非電池収容部５１Ｂにおいて十分に放熱されるため、安全性をより向上させることができる。
【０１４２】
第３に、図５に示したように、画定部５２に窪み５０Ｕが設けられていると共に、非電池収容部５１Ｂの内部に拡張体５３が設けられていれば、以下で説明する理由により、安全性をより向上させることができる。
【０１４３】
図１０は、第３比較例の蓄電装置における電池ホルダ５０の平面構成を表しており、図５に対応している。第３比較例の蓄電装置は、例えば、非電池収容部５１Ｂの内部に拡張体５３が設けられていないことを除いて、本実施形態の蓄電装置（図５参照）と同様の構成を有している。
【０１４４】
第３比較例の蓄電装置では、図１０に示したように、非電池収容部５１Ｂの内部に拡張体５３が設けられていないため、第１電池収容部５１Ａに収容されている二次電池６０および第２電池収容部５１Ｃに収容されている二次電池６０のそれぞれにより窪み５０Ｕが画定されるが、非電池収容部５１Ｂにより窪み５０Ｕが画定されない。
【０１４５】
これにより、二次電池６０が収容されている第１電池収容部５１Ａでは、その二次電池６０が窪み５０Ｕから第１電池収容部５１Ａに接着剤が流出することを防止する障壁として機能する。また、二次電池６０が収容されている第２電池収容部５１Ｃでは、その二次電池６０が窪み５０Ｕから第２電池収容部５１Ｃに接着時が流出することを防止する障壁として機能する。しかしながら、非電池収容部５１Ｂには二次電池６０が収容されていないため、その非電池収容部５１Ｂには、窪み５０Ｕから非電池収容部５１Ｂに接着剤が流出することを防止する障壁が存在しない。
【０１４６】
この場合には、接着剤を用いて窪み５０Ｕの内部にサーミスタ９０を固定する際に、未乾燥状態の接着剤が流動すると、その接着剤が窪み５０Ｕから非電池収容部５１Ｂに流出しやすくなるため、サーミスタ９０の設置位置が所望の位置からずれる可能性がある。しかも、接着剤の流出状況によっては、サーミスタ９０が窪み５０Ｕから非電池収容部５１Ｂに脱落する可能性もある。これにより、サーミスタ９０を用いて蓄電装置の内部のうちの所望の位置の温度を高精度に測定することが困難になるため、そのサーミスタ９０により測定される温度に基づいて蓄電装置の温度を正確に把握しにくくなる可能性がある。
【０１４７】
これに対して、本実施形態の蓄電装置では、図５に示したように、非電池収容部５１Ｂの内部に拡張体５３が設けられているため、第１電池収容部５１Ａに収容されている二次電池６０と第２電池収容部５１Ｃに収容されている二次電池６０と拡張体５３とにより窪み５０Ｕが画定される。
【０１４８】
すなわち、拡張体５３は、第１電池収容部５２Ａに収容されている二次電池６０および第２電池収容部５１Ｃに収容されている二次電池６０のそれぞれと同様に、窪み５０Ｕから非電池収容部５１Ｂに接着剤が流出することを防止する障壁として機能する。
【０１４９】
この場合には、接着剤を用いてサーミスタ９０を固定する際に、未乾燥状態の接着剤が流動しても、その接着剤が窪み５０Ｕから非電池収容部５１Ｂに流出しにくくなるため、サーミスタ９０の設置位置が所望の位置からずれにくくなると共に、そのサーミスタ９０が窪み５０Ｕから非電池収容部５１Ｂに脱落しにくくなる。これにより、サーミスタ９０を用いて蓄電装置の内部のうちの所望の位置の温度を高精度に測定しやすくなるため、そのサーミスタ９０により測定される温度に基づいて蓄電装置の温度を正確に把握しやすくなる。よって、安全性をより向上させることができる。
【０１５０】
第４に、図１〜図３に示したように、二次電池６０が収容される開口部５１（第１電池収容部５１Ａおよび第２電池収容部５１Ｃ）に対応する位置に接続端子４１が設けられていると共に、二次電池６０が収容されない開口部５１（非電池収容部５１Ｂ）に対応する位置にも接続端子４１が設けられていれば、安全性をより向上させることができる。
【０１５１】
具体的には、二次電池６０が収容される開口部５１（第１電池収容部５１Ａおよび第２電池収容部５１Ｃ）に対応する位置だけに接続端子４１が設けられており、二次電池６０が収容されない開口部５１（非電池収容部５１Ｂ）に対応する位置に接続端子４１が設けられていない場合には、複数の二次電池６０において発生した熱が十分に放熱されにくい。
【０１５２】
すなわち、第１電池収容部５１Ａおよび第２電池収容部５１Ｃに対応する位置では、接続端子４１が存在しているため、二次電池６０において発生した熱が下タブ基板４０（接続端子４１）を利用して放熱される。しかしながら、非電池収容部５１Ｂに対応する位置では、接続端子４１が存在していないため、非電池収容部５１Ｂを放熱経路として放熱された熱がさらに下タブ基板４０（接続端子４１）を利用して放熱されない。
【０１５３】
これに対して、二次電池６０が収容される開口部５１（第１電池収容部５１Ａおよび第２電池収容部５１Ｃ）に対応する位置に接続端子４１が設けられていると共に、二次電池６０が収容されない開口部５１（非電池収容部５１Ｂ）に対応する位置にも接続端子４１が設けられている場合には、複数の二次電池６０において発生した熱が十分に放熱されやすくなる。
【０１５４】
すなわち、第１電池収容部５１Ａおよび第２電池収容部５１Ｃに対応する位置では、二次電池６０において発生した熱が下タブ基板４０（接続端子４１）を利用して放熱される。しかも、非電池収容部５１Ｂに対応する位置では、非電池収容部５１Ｂを放熱経路として放熱された熱がさらに下タブ基板４０（接続端子４１）を利用して放熱される。これにより、下タブ基板４０中における電流分布が均一化されるため、その下タブ基板４０中において局所的に電流が集中することは抑制される。よって、蓄電装置全体として、複数の二次電池６０において発生した熱がより放熱されやすくなるため、安全性をより向上させることができる。
【０１５５】
第５に、上記した下タブ基板４０（接続端子４１）に関する作用および効果は、上タブ基板７０（接続端子７１）に関しても同様に得られる。
【０１５６】
具体的には、図１および図２に示したように、第１電池収容部５１Ａおよび第２電池収容部５１Ｃに対応する位置に接続端子７１が設けられていると共に、二次電池６０が収容されない開口部５１（非電池収容部５１Ｂ）に対応する位置にも接続端子７１が設けられていると、複数の二次電池６０において発生した熱が十分に放熱されやすくなる。
【０１５７】
すなわち、第１電池収容部５１Ａおよび第２電池収容部５１Ｃに対応する位置では、二次電池６０において発生した熱が上タブ基板７０（接続端子７１）を利用して放熱される。しかも、非電池収容部５１Ｂに対応する位置では、非電池収容部５１Ｂを放熱経路として放熱された熱がさらに上タブ基板７０（接続端子７１）を利用して放熱される。これにより、上タブ基板７０中における電流分布が均一化されるため、その上タブ基板７０中において局所的に電流が集中することは抑制される。よって、蓄電装置全体として、複数の二次電池６０において発生した熱がより放熱されやすくなるため、安全性をより向上させることができる。
【０１５８】
第６に、二次電池６０が収容される開口部５１（第１電池収容部５１Ａおよび第２電池収容部５１Ｃ）に対応する位置に放熱体２０が設けられていると共に、二次電池６０が収容されない開口部５１（非電池収容部５１Ｂ）に対応する位置にも放熱体２０が設けられていれば、以下で説明する理由により、安全性をより向上させることができる。
【０１５９】
図１１は、第４比較例の蓄電装置における複数の放熱体２０の平面構成を表しており、図６に対応している。第３比較例の蓄電装置は、例えば、二次電池６０が収容される開口部５１（第１電池収容部５１Ａおよび第２電池収容部５１Ｃ）に対応する位置だけに放熱体２０が設けられており、二次電池６０が収容されない開口部５１（非電池収容部５１Ｂ）に対応する位置に放熱体２０が設けられていないことを除いて、本実施形態の蓄電装置（図５参照）と同様の構成を有している。
【０１６０】
第３比較例の蓄電装置では、図１１に示したように、第１電池収容部５１Ａおよび第２電池収容部５１Ｃのそれぞれに対応する位置では、複数の二次電池６０において発生した熱が放熱体２０を利用して放熱される。しかしながら、非電池収容部５１Ｂに対応する位置では、その非電池収容部５１Ｂを放熱経路として放熱された熱がさらに放熱体２０を利用して放熱されない。
【０１６１】
これに対して、本実施形態の蓄電装置では、図６に示したように、第１電池収容部５１Ａおよび第２電池収容部５１Ｃのそれぞれに対応する位置では、二次電池６０において発生した熱が放熱体２０を利用して放熱される。しかも、非電池収容部５１Ｂに対応する位置では、その非電池収容部５１Ｂを放熱経路として放熱された熱がさらに放熱体２０を利用して放熱される。よって、蓄電装置全体として、複数の二次電池６０において発生した熱がより放熱されやすくなるため、安全性をより向上させることができる。
【０１６２】
＜１−８．変形例＞
本実施形態の蓄電装置の構成は、適宜、変更可能である。
【０１６３】
具体的には、例えば、図３では、複数の開口部５１の配置パターンを千鳥配列としたが、上記したように、複数の開口部５１の配置パターンは、特に限定されない。
【０１６４】
一例を挙げるとは、複数の開口部５１の配置パターンは、格子配列などの他の配列パターンでもよい。この格子配列とは、奇数行に配置されている各開口部５１の位置と偶数行に配置されている各開口部５１の位置とが行方向において互いに一致している配列パターンである。このように複数の開口部５１の配置パターンを変更した場合においても、上記した二次電池６０の収容条件が満たされていれば、同様の効果を得ることができる。
【０１６５】
また、例えば、図３では、行方向において複数の開口部５１に対して１個おきに二次電池６０が収容されるようにしたが、その複数の開口部５１に対する二次電池６０の収容パターンは、特に限定されない。
【０１６６】
具体的には、複数の開口部５１に対して複数の二次電池６０を規則的に収容してもよいし、複数の開口部５１に対して複数の二次電池６０を不規則的に収容してもよい。中でも、複数の開口部５１に対して複数の二次電池６０を規則的に収容することが好ましい。放熱経路として機能する複数の非電池収容部５１Ｂが均一に分布されるため、蓄電装置の全体として位置に依存せずに均一に放熱されやすくなるからである。複数の開口部５１に対して複数の二次電池６０を規則的に収容する場合には、一例を挙げると、行方向において複数の開口部５１に対して２個おきに二次電池６０を収容してもよい。このように二次電池６０の収容パターンを変更した場合においても、上記した二次電池６０の収容条件が満たされていれば、同様の効果を得ることができる。
【０１６７】
また、例えば、図４では、上記したように、非電池収容部５１Ｂを放熱経路（空気の流路）として利用しているが、その非電池収容部５１Ｂの放熱機能を向上させる工夫を施してもよい。
【０１６８】
具体的には、非電池収容部５１Ｂの内部に放熱体（ダミー電池）を収容してもよい。この放熱体は、例えば、銅などの熱伝導性材料のうちのいずれか１種類または２種類以上を含んでいると共に、二次電池６０と同様の立体的形状を有している。この場合には、複数の二次電池６０のうちのいずれの二次電池６０が発熱しても、その熱が放熱体中において効率よく放熱される。
【０１６９】
また、非電池収容部５１Ｂの内部に放熱用気体を強制的に流してもよい。放熱用気体の種類は、特に限定されないが、例えば、空気などのうちのいずれか１種類または２種類以上である。放熱用気体の流量および温度などの条件は、任意に設定可能である。この場合には、複数の二次電池６０のうちのいずれの二次電池６０が発熱しても、非電池収容部５１Ｂの内部を流れる放熱用気体を利用して効率よく放熱される。
【０１７０】
また、非電池収容部５１Ｂの内部に放熱用装置を設置してもよい。この「放熱用装置」とは、熱を積極的に移動（放熱）させることが可能な装置および機器などの総称である。放熱用装置の種類は、特に限定されないが、例えば、冷媒を用いたヒートパイプなどのうちのいずれか１種類または２種類以上である。放熱量および放熱速度などの条件は、任意に設定可能である。この場合には、複数の二次電池６０のうちのいずれの二次電池６０が発熱しても、非電池収容部５１Ｂの内部に設置されている放熱用装置を利用して効率よく放熱される。
【０１７１】
これらの場合には、非電池収容部５１Ｂの放熱量および放熱効率が向上するため、その非電池収容部５１Ｂの放熱機能を向上させることができる。よって、充電電流および放電電流のうちの一方または双方を増加させても、複数の二次電池６０が熱暴走する可能性は十分に低くなるため、安全性をより向上させることができる。
【０１７２】
＜２．蓄電装置の用途＞
次に、上記した蓄電装置の適用例（用途）に関して説明する。
【０１７３】
蓄電装置の用途は、その蓄電装置を駆動用の電源および電力蓄積用の電力貯蔵源などとして利用可能な機械、機器、器具、装置およびシステム（複数の機器などの集合体）などであれば、特に限定されない。電源として用いられる蓄電装置は、主電源でもよいし、補助電源でもよい。主電源とは、他の電源の有無に関係なく、優先的に用いられる電源である。補助電源は、例えば、主電源の代わりに用いられる電源でもよいし、必要に応じて主電源から切り替えられる電源でもよい。蓄電装置を補助電源として用いる場合には、主電源の種類は蓄電装置に限られない。
【０１７４】
蓄電装置の用途は、例えば、以下の通りである。ビデオカメラ、デジタルスチルカメラ、携帯電話機、ノート型パソコン、コードレス電話機、ヘッドホンステレオ、携帯用ラジオ、携帯用テレビおよび携帯用情報端末などの電子機器（携帯用電子機器を含む）である。電気シェーバなどの携帯用生活器具である。バックアップ電源およびメモリーカードなどの記憶用装置である。電動ドリルおよび電動鋸などの電動工具である。着脱可能な電源としてノート型パソコンなどに搭載される電池パックである。ペースメーカおよび補聴器などの医療用電子機器である。電気自動車（ハイブリッド自動車を含む）などの電動車両である。非常時などに備えて電力を蓄積しておく家庭用バッテリシステムなどの電力貯蔵システムである。もちろん、蓄電装置の用途は、上記以外の他の用途でもよい。
【０１７５】
中でも、蓄電装置は、電池パック、電動車両、電力貯蔵システム、電動工具および電子機器などに適用されることが有効である。これらの用途では優れた電池特性が要求されるため、本技術の蓄電装置を用いることにより、有効に性能向上を図ることができるからである。なお、電池パックは、蓄電装置を用いた電源である。電動車両は、蓄電装置を駆動用電源として作動（走行）する車両であり、上記したように、蓄電装置以外の駆動源を併せて備えた自動車（ハイブリッド自動車など）でもよい。電力貯蔵システムは、蓄電装置を電力貯蔵源として用いるシステムである。例えば、家庭用の電力貯蔵システムでは、電力貯蔵源である蓄電装置に電力が蓄積されているため、その電力を利用して家庭用の電気製品などを使用することが可能である。電動工具は、蓄電装置を駆動用の電源として用いて可動部（例えば、ドリルなど）が可動する工具である。電子機器は、蓄電装置を駆動用の電源（電力供給源）として各種機能を発揮する機器である。
【０１７６】
ここで、蓄電装置のいくつかの適用例に関して具体的に説明する。なお、以下で説明する適用例の構成は、あくまで一例であるため、その適用例の構成は、適宜変更可能である。
【０１７７】
＜２−１．電池パック＞
図１２は、電池パックのブロック構成を表している。
【０１７８】
この電池パックは、例えば、筐体１６０の内部に、制御部１６１と、電源１６２と、スイッチ部１６３と、電流測定部１６４と、温度検出部１６５と、電圧検出部１６６と、スイッチ制御部１６７と、メモリ１６８と、温度検出素子１６９と、電流検出抵抗１７０と、正極端子１７１および負極端子１７２とを備えている。この筐体１６０は、例えば、プラスチック材料などを含んでいる。
【０１７９】
制御部１６１は、電池パック全体の動作（電源１６２の使用状態を含む）を制御する。
この制御部１６１は、例えば、ＣＰＵなどを含んでいる。電源１６２は、１個または２個以上の蓄電装置を含んでいる。
【０１８０】
スイッチ部１６３は、制御部１６１の指示に応じて、電源１６２の使用状態、すなわち電源１６２と外部機器との接続の有無を切り換える。このスイッチ部１６３は、例えば、充電制御スイッチ、放電制御スイッチ、充電用ダイオードおよび放電用ダイオードなどを含んでいる。充電制御スイッチおよび放電制御スイッチのそれぞれは、例えば、金属酸化物半導体を用いた電界効果トランジスタ（ＭＯＳＦＥＴ）などの半導体スイッチである。
【０１８１】
電流測定部１６４は、電流検出抵抗１７０を用いて電流を測定すると共に、その電流の測定結果を制御部１６１に出力する。温度検出部１６５は、温度検出素子１６９を用いて温度を測定すると共に、その温度の測定結果を制御部１６１に出力する。この温度の測定結果は、例えば、異常発熱時において制御部１６１が充放電制御を行う場合および残容量の算出時において制御部１６１が補正処理を行う場合などに用いられる。電圧検出部１６６は、電源１６２中における蓄電装置の電圧を測定すると共に、アナログ−デジタル変換された電圧の測定結果を制御部１６１に供給する。
【０１８２】
スイッチ制御部１６７は、電流測定部１６４および電圧検出部１６６のそれぞれから入力される信号に応じて、スイッチ部１６３の動作を制御する。
【０１８３】
このスイッチ制御部１６７は、例えば、電池電圧が過充電検出電圧に到達すると、スイッチ部１６３（充電制御スイッチ）を切断することにより、電源１６２の電流経路に充電電流が流れないようにする。これにより、電源１６２では、放電用ダイオードを介して放電だけが可能になる。なお、スイッチ制御部１６７は、例えば、充電時に大電流が流れると、充電電流を遮断する。
【０１８４】
また、スイッチ制御部１６７は、例えば、電池電圧が過放電検出電圧に到達すると、スイッチ部１６３（放電制御スイッチ）を切断することにより、電源１６２の電流経路に放電電流が流れないようにする。これにより、電源１６２では、充電用ダイオードを介して充電だけが可能になる。なお、スイッチ制御部１６７は、例えば、放電時に大電流が流れると、放電電流を遮断する。
【０１８５】
なお、過充電検出電圧は、特に限定されないが、例えば、４．２Ｖ±０．０５Ｖである。過放電検出電圧は、特に限定されないが、例えば、２．４Ｖ±０．１Ｖである。
【０１８６】
メモリ１６８は、例えば、不揮発性メモリであるＥＥＰＲＯＭなどを含んでいる。このメモリ１６８には、例えば、制御部１６１により演算された数値および製造工程段階において測定された蓄電装置の情報（例えば、初期状態の内部抵抗など）などが記憶されている。なお、メモリ１６８に蓄電装置の満充電容量が記憶されていれば、制御部１６１が残容量などの情報を把握できる。
【０１８７】
温度検出素子１６９は、電源１６２の温度を測定すると共に、その温度の測定結果を制御部１６１に出力する。この温度検出素子１６９は、例えば、サーミスタなどを含んでいる。
【０１８８】
正極端子１７１および負極端子１７２のそれぞれは、電池パックを用いて稼働される外部機器（例えば、ノート型のパーソナルコンピュータなど）および電池パックを充電するために用いられる外部機器（例えば、充電器など）などに接続される端子である。電源１６２は、正極端子１７１および負極端子１７２を介して充放電可能である。
【０１８９】
＜２−２．電動車両＞
図１３は、電動車両の一例であるハイブリッド自動車のブロック構成を表している。
【０１９０】
この電動車両は、例えば、金属製の筐体１７３の内部に、制御部１７４と、エンジン１７５と、電源１７６と、駆動用のモータ１７７と、差動装置１７８と、発電機１７９と、トランスミッション１８０およびクラッチ１８１と、インバータ１８２，１８３と、各種センサ１８４とを備えている。この他、電動車両は、例えば、差動装置１７８およびトランスミッション１８０に接続された前輪用駆動軸１８５および前輪１８６と、後輪用駆動軸１８７および後輪１８８とを備えている。
【０１９１】
この電動車両は、例えば、エンジン１７５およびモータ１７７のうちのいずれか一方を駆動源として用いて走行することが可能である。エンジン１７５は、主要な動力源であり、例えば、ガソリンエンジンなどである。エンジン１７５を動力源とする場合には、例えば、駆動部である差動装置１７８、トランスミッション１８０およびクラッチ１８１を介して、そのエンジン１７５の駆動力（回転力）が前輪１８６および後輪１８８に伝達される。なお、エンジン１７５の回転力が発電機１７９に伝達されるため、その回転力を利用して発電機１７９が交流電力を発生すると共に、その交流電力がインバータ１８３を介して直流電力に変換されるため、その直流電力が電源１７６に蓄積される。一方、変換部であるモータ１７７を動力源とする場合には、電源１７６から供給された電力（直流電力）がインバータ１８２を介して交流電力に変換されるため、その交流電力を利用してモータ１７７が駆動する。このモータ１７７により電力から変換された駆動力（回転力）は、例えば、駆動部である差動装置１７８、トランスミッション１８０およびクラッチ１８１を介して前輪１８６および後輪１８８に伝達される。
【０１９２】
なお、制動機構を介して電動車両が減速すると、その減速時の抵抗力がモータ１７７に回転力として伝達されるため、その回転力を利用してモータ１７７が交流電力を発生させるようにしてもよい。この交流電力は、インバータ１８２を介して直流電力に変換されるため、その直流回生電力は、電源１７６に蓄積可能であることが好ましい。
【０１９３】
制御部１７４は、電動車両の全体の動作を制御する。この制御部１７４は、例えば、ＣＰＵなどを含んでいる。電源１７６は、１個または２個以上の蓄電装置を含んでいる。この電源１７６は、外部電源と接続されていると共に、その外部電源から電力供給を受けることにより、電力が蓄積されてもよい。各種センサ１８４は、例えば、エンジン１７５の回転数を制御すると共に、スロットルバルブの開度（スロットル開度）を制御するために用いられる。この各種センサ１８４は、例えば、速度センサ、加速度センサおよびエンジン回転数センサなどのうちのいずれか１種類または２種類以上を含んでいる。
【０１９４】
なお、電動車両がハイブリッド自動車である場合を例に挙げたが、その電動車両は、エンジン１７５を用いずに電源１７６およびモータ１７７だけを用いて作動する車両（電気自動車）でもよい。
【０１９５】
＜２−３．電力貯蔵システム＞
図１４は、電力貯蔵システムのブロック構成を表している。
【０１９６】
この電力貯蔵システムは、例えば、一般住宅および商業用ビルなどの家屋１８９の内部に、制御部１９０と、電源１９１と、スマートメータ１９２と、パワーハブ１９３とを備えている。
【０１９７】
ここでは、電源１９１は、例えば、家屋１８９の内部に設置された電気機器１９４に接続されていると共に、家屋１８９の外部に停車している電動車両１９６に接続されることが可能である。また、電源１９１は、例えば、家屋１８９に設置された自家発電機１９５にパワーハブ１９３を介して接続されていると共に、スマートメータ１９２およびパワーハブ１９３を介して外部の集中型電力系統１９７に接続されることが可能である。
【０１９８】
なお、電気機器１９４は、例えば、１台または２台以上の家電製品を含んでおり、その家電製品は、例えば、冷蔵庫、エアコン、テレビおよび給湯器などである。自家発電機１９５は、例えば、太陽光発電機および風力発電機などのうちのいずれか１種類または２種類以上を含んでいる。電動車両１９６は、例えば、電気自動車、電気バイクおよびハイブリッド自動車などのうちのいずれか１種類または２種類以上を含んでいる。集中型電力系統１９７は、例えば、火力発電所、原子力発電所、水力発電所および風力発電所などのうちのいずれか１種類または２種類以上を含んでいる。
【０１９９】
制御部１９０は、電力貯蔵システムの全体の動作（電源１９１の使用状態を含む）を制御する。この制御部１９０は、例えば、ＣＰＵなどを含んでいる。電源１９１は、１個または２個以上の蓄電装置を含んでいる。スマートメータ１９２は、例えば、電力需要側の家屋１８９に設置されるネットワーク対応型の電力計であり、電力供給側と通信することが可能である。これに伴い、スマートメータ１９２は、例えば、外部と通信しながら、家屋１８９における電力の需要と供給とのバランスを制御することにより、高効率で安定したエネルギー供給を可能とする。
【０２００】
この電力貯蔵システムでは、例えば、外部電源である集中型電力系統１９７からスマートメータ１９２およびパワーハブ１９３を介して電源１９１に電力が蓄積されると共に、独立電源である自家発電機１９５からパワーハブ１９３を介して電源１９１に電力が蓄積される。この電源１９１に蓄積された電力は、制御部１９０の指示に応じて電気機器１９４および電動車両１９６に供給されるため、その電気機器１９４が稼働可能になると共に、その電動車両１９６が充電可能になる。すなわち、電力貯蔵システムは、電源１９１を用いて、家屋１８９内における電力の蓄積および供給を可能にするシステムである。
【０２０１】
電源１９１に蓄積された電力は、必要に応じて使用することが可能である。このため、例えば、電気使用料が安い深夜において、集中型電力系統１９７から電源１９１に電力を蓄積しておき、電気使用料が高い日中において、その電源１９１に蓄積された電力を使用することができる。
【０２０２】
なお、上記した電力貯蔵システムは、１戸（１世帯）ごとに設置されていてもよいし、複数戸（複数世帯）ごとに設置されていてもよい。
【０２０３】
＜２−４．電動工具＞
図１５は、電動工具のブロック構成を表している。
【０２０４】
ここで説明する電動工具は、例えば、電動ドリルである。この電動工具は、例えば、工具本体１９８の内部に、制御部１９９と、電源２００とを備えている。この工具本体１９８には、例えば、可動部であるドリル部２０１が稼働（回転）可能に取り付けられている。
【０２０５】
工具本体１９８は、例えば、プラスチック材料などを含んでいる。制御部１９９は、電動工具の全体の動作（電源２００の使用状態を含む）を制御する。この制御部１９９は、例えば、ＣＰＵなどを含んでいる。電源２００は、１個または２個以上の蓄電装置を含んでいる。この制御部１９９は、動作スイッチの操作に応じて、電源２００からドリル部２０１に電力を供給する。
【０２０６】
以上、一実施形態および実施例を挙げながら本技術を説明したが、その本技術に関しては、一実施形態および実施例において説明した態様に限定されず、種々の変形が可能である。
【０２０７】
具体的には、蓄電装置に搭載される二次電池として、リチウムの吸蔵現象およびリチウムの放出現象を利用して負極の容量が得られるリチウムイオン二次電池を例に挙げたが、これに限られない。この二次電池は、例えば、リチウムの析出現象およびリチウムの溶解現象を利用して負極の容量が得られるリチウム金属二次電池でもよい。また、二次電池は、例えば、リチウムを吸蔵および放出することが可能である負極活物質の容量を正極の容量よりも小さく設定することにより、リチウムの吸蔵現象およびリチウムの放出現象に起因する容量とリチウムの析出現象およびリチウムの溶解現象に起因する容量との和により負極の容量が得られる二次電池でもよい。
【０２０８】
また、二次電池として、電極反応物質としてリチウムを用いたリチウムイオン二次電池を例に挙げたが、これに限られない。この電極反応物質は、例えば、ナトリウムおよびカリウムなどの長周期型周期表における他の１族の元素でもよいし、マグネシウムおよびカルシウムなどの長周期型周期表における２族の元素でもよいし、アルミニウムなどの他の軽金属でもよい。また、電極反応物質は、上記した一連の元素のうちのいずれか１種類または２種類以上を含む合金でもよい。
【０２０９】
なお、本明細書中に記載された効果はあくまで例示であって限定されるものではなく、また、他の効果があってもよい。
【０２１０】
なお、本技術は、以下のような構成を取ることも可能である。
（１）
複数の二次電池と、
前記複数の二次電池を収容する電池収容部材と
を備え、
前記電池収容部材は、複数の開口部を有すると共に、前記複数の開口部は、第１開口部と前記第１開口部に隣接された複数の第２開口部とを含み、
前記第１開口部に前記二次電池が収容されていると共に、前記複数の第２開口部のうちの一部に前記二次電池が収容されている、
蓄電装置。
（２）
前記複数の開口部は、千鳥配列されており、
前記複数の第２開口部は、前記第１開口部を囲んでいる、
上記（１）に記載の蓄電装置。
（３）
前記複数の開口部は、６個の前記第２開口部を含み、
前記二次電池が収容されていない前記第２開口部の数は、４個であり、
前記二次電池が収容されている前記第２開口部の数は、２個である、
請上記（１）または（２）に記載の蓄電装置。
（４）
前記電池収容部材は、
前記第１開口部および前記複数の第２開口部のそれぞれを画定すると共に、前記第１開口部および前記複数の第２開口部により囲まれた領域に窪みを有する画定部と、
前記二次電池が収容されていない前記第２開口部の内部における前記画定部の内壁面を前記窪みの深さ方向と反対の方向に拡張することにより、前記第１開口部に収容されている前記二次電池および前記複数の第２開口部のうちの一部に収容されている前記二次電池と共に前記窪みを囲む拡張部材と
を含む、上記（１）ないし（３）のいずれかに記載の蓄電装置。
（５）
さらに、前記窪みの内部に配置されると共に、前記複数の二次電池の温度を測定する温度測定素子を備えた、
上記（１）ないし（４）のいずれかに記載の蓄電装置。
（６）
さらに、複数の接続端子を有する配線部材を備え、
前記複数の接続端子は、前記第１開口部および前記複数の第２開口部のそれぞれに対応する位置に配置されていると共に、前記第１開口部に収容された前記二次電池および前記複数の第２開口部のうちの一部に収容された前記二次電池のそれぞれに接続されている、
上記（１）ないし（５）のいずれかに記載の蓄電装置。
（７）
さらに、前記複数の接続端子に隣接された複数の放熱部材を備えた、
上記（６）に記載の蓄電装置。
（８）
前記二次電池は、リチウムイオン二次電池である、
上記（１）ないし（７）のいずれかに記載の蓄電装置。
（９）
上記（１）ないし（８）のいずれかに記載の蓄電装置と、
前記蓄電装置の動作を制御する制御部と、
前記制御部の指示に応じて前記蓄電装置の動作を切り換えるスイッチ部と
を備えた、電池パック。
（１０）
上記（１）ないし（８）のいずれかに記載の蓄電装置と、
前記蓄電装置から供給された電力を駆動力に変換する変換部と、
前記駆動力に応じて駆動する駆動部と、
前記蓄電装置の動作を制御する制御部と
を備えた、電動車両。
（１１）
上記（１）ないし（８）のいずれかに記載の蓄電装置と、
前記蓄電装置から電力を供給される１または２以上の電気機器と、
前記蓄電装置からの前記電気機器に対する電力供給を制御する制御部と
を備えた、電力貯蔵システム。
（１２）
上記（１）ないし（８）のいずれかに記載の蓄電装置と、
前記蓄電装置から電力を供給される可動部と
を備えた、電動工具。
（１３）
上記（１）ないし（８）のいずれかに記載の蓄電装置を電力供給源として備えた、電子機器。
【図１】
2018198896.tif 000003
【図２】
2018198896.tif 000004
【図３】
2018198896.tif 000005
【図４】
2018198896.tif 000006
【図５】
2018198896.tif 000007
【図６】
2018198896.tif 000008
【図７】
2018198896.tif 000009
【図８】
2018198896.tif 000010
【図９】
2018198896.tif 000011
【図１０】
2018198896.tif 000012
【図１１】
2018198896.tif 000013
【図１２】
2018198896.tif 000014
【図１３】
2018198896.tif 000015
【図１４】
2018198896.tif 000016
【図１５】
2018198896.tif 000017
【国際調査報告】
2018198896.tif 000018
2018198896.tif 000019
2018198896.tif 000020
2018198896.tif 000021